(57)【特許請求の範囲】
【請求項１】
モールドに電磁コイルを取付けた連続鋳造設備において、上下振動するモールド側に複数のケーブルを集合したモールド側コネクタを配設し、モールドを外れた固定位置に機外側コネクタおよび機外側コネクタを移動させてモールド側コネクタに接続するコネクタ接続装置を設け、前記機外側コネクタにはガイド装置を配設し、前記モールド側コネクタにはガイド装置のガイドロッドが嵌入するガイド孔を設け、かつ嵌入したガイドロッドの固定機構を設け、前記ガイド装置はガイドロッドとガイドロッドを収納するガイドロッド収納ケースを有し、ガイドロッドの上部ロッドおよび下部ロッドがそれぞれガイドロッド収納ケースの上下から突出して収納され、該収納ケース内の上部ロッドにはバネが装着され、下部ロッドの先端は機外側コネクタフレームに嵌設され、前記モールド側コネクタと前記機外側コネクタの接続時、前記バネを押圧した状態で、前記ガイドロッドをその固定機構で固定し、接続を確実にすることを特徴とする電磁攪拌装置の電源供給装置。
【請求項２】
前記機外側コネクタフレームはガイドコロに接触してガイドされ、ガイドコロはガイドコロ用ロッドの先端に取付けられ、該ロッドは支持ケース内にバネを装着して支持され、両コネクタの接続保持機構を設けたことを特徴とする請求項１に記載の電磁攪拌装置の電源供給装置。
【発明の詳細な説明】
【０００１】
【発明の属する技術分野】
本発明は、モールド内に注入された溶鋼を電磁攪拌しながら連続鋳造する設備において、モールドに取付けられた電磁攪拌装置に通電するための電源供給装置に関するものである。
【０００２】
【従来の技術】
鋼の連続鋳造において、表面品質の優れた鋳片を得るため、タンディッシュよりノズルを介してモールド内に注入された溶鋼を電磁攪拌し、溶鋼に含まれている非金属介在物やガスを積極的に浮上させ除去している。電磁攪拌は、モールドに取付けた電磁コイルに通電することで行われる。
【０００３】
ところで鋼の連続鋳造では、モールド表面に形成される凝固シェルをモールドから連続的に引抜いて鋳片とするため、モールドを適正な振幅と周期で上下振動させている。またモールドは、定期的に、あるいはトラブル発生時に交換する必要がある。
このため電磁攪拌装置への電源供給は、機外の電源装置からケーブルを介してモールドに設けた端子にコネクタを接続して行われる。
【０００４】
電磁攪拌装置の電源は大電流であり、接続の信頼性から従来は１本ずつ手作業で接続されており、ケーブルコネクタが非常に重いため、手作業での接続作業はかなりの重労働となっていた。このためモールド交換時間の中で、ケーブルコネクタの接続作業時間が最も時間を要する作業となっていた。
【０００５】
またモールド交換時にはモールド冷却用給排水管の取外し取付けも行うので、電源ケーブルの接続部は湿度の高い環境となっている。このため手作業でのケーブル接続には漏電などの危険性を伴っていた。
さらに、予定の交換以外にブレイクアウト等の突発トラブルによる交換も発生するため、モールドの交換時間を最小限に抑えたいという要望があった。
【０００６】
連続鋳造設備における電源自動接続の従来技術としては、特公平７−８７１０７号公報に、タンディッシュ内の溶鋼を加熱するために用いられるプラズマトーチや誘導加熱用の電源接続技術が開示されている。
また特開平９−１２９８号公報には、タンディッシュプラズマ加熱装置用給電回路の接続装置が開示され、特開平６−１５４９６２号公報には、取鍋旋回装置におけるケーブルの回転接続構造が開示されている。
しかし、モールドでの電源ケーブル自動接続について開示されている技術は見当たらない。
【０００７】
【発明が解決しようとする課題】
そこで本発明が解決しようとする課題は、連続鋳造設備のモールドに取付けられた電磁攪拌装置に通電するための電源接続を自動化することにより、鋳型交換時間を大幅に短縮すると共に、高湿度環境下での漏電などの危険性を回避し、重いケーブルコネクタを扱う重労働から解放することである。
【０００８】
【課題を解決するための手段】
上記課題を解決するための本発明は、モールドに電磁コイルを取付けた連続鋳造設備において、上下振動するモールド側に複数のケーブルを集合したモールド側コネクタを配設し、モールドを外れた固定位置に機外側コネクタおよび機外側コネクタを移動させてモールド側コネクタに接続するコネクタ接続装置を設け、前記機外側コネクタにはガイド装置を配設し、前記モールド側コネクタにはガイド装置のガイドロッドが嵌入するガイド孔を設け、かつ嵌入したガイドロッドの固定機構を設け、前記ガイド装置はガイドロッドとガイドロッドを収納するガイドロッド収納ケースを有し、ガイドロッドの上部ロッドおよび下部ロッドがそれぞれガイドロッド収納ケースの上下から突出して収納され、該収納ケース内の上部ロッドにはバネが装着され、下部ロッドの先端は機外側コネクタフレームに嵌設され、前記モールド側コネクタと前記機外側コネクタの接続時、前記バネを押圧した状態で、前記ガイドロッドをその固定機構で固定し、接続を確実にすることを特徴とする電磁攪拌装置の電源供給装置である。
【００１０】
また、前記機外側コネクタフレームはガイドコロに接触してガイドされ、ガイドコロはガイドコロ用ロッドの先端に取付けられ、該ロッドは支持ケース内にバネを装着して支持され、両コネクタの接続保持機構を設けることが好ましい。
【００１１】
【発明の実施の形態】
図１に本発明装置を取付けたモールドの平面図を示す。モールドは、長辺冷却箱３および長辺側銅板９と、短辺冷却箱４および短辺側銅板１０と、クランプ装置６と、モールド固定フレーム１とにより構成され、このモールド内に溶鋼５が注入される。短辺側冷却箱４および短辺側銅板１０は幅可変装置８により移動できるようになっている。
【００１２】
長辺冷却箱３に電磁コイル２が設けられ、この電磁コイル２に通電することで溶鋼５を電磁攪拌し、溶鋼５内の非金属介在物やガス等を浮上させ、鋳片の表面品質を向上させる。電源を供給するモールド側コネクタ１１は、モールド固定フレーム１に配設されている。
【００１３】
図２は図１の正面図である。モールド固定フレーム１に配設されたモールド側コネクタ１１の端子１１ａと電磁コイル２の端子１１ｂを、ケーブル７を介して接続する。また機外側コネクタ１２は、モールド側コネクタ１１にコネクタ接続装置２０によって接続される。
【００１４】
図３は図１の側面図である。モールド固定フレーム１は中間テーブル２１を経て振動テーブル２２に支持され、振動装置２３により振動テーブル２２を振動させることでモールド固定フレーム１が振動し、モールドが上下振動する機構になっている。振動装置２３には振動シリンダー２４が付設され、基台に固定された振動装置固定テーブル３７上に設置されている。
【００１５】
モールド側コネクタ１１は、モールド固定フレーム１に固定したモールド側コネクタ取付けブラケット２５に配設している。
機外側コネクタ１２およびコネクタ接続装置２０は、本例では振動装置固定テーブル３７に配設している。すなわち図３に示すように、振動装置固定テーブル３７に固定したコネクタ接続装置２０により、図２のように機外側コネクタ１２を上下動可能にしている。
【００１６】
また図２のように、モールド側コネクタ１１の両側にガイド孔用ブラケット２８を設けて、該ブラケット２８にガイド孔１３を穿設し、このガイド孔１３に、機外側コネクタ１２の両側に設けた機外側コネクタフレーム１５のガイドロッド３１が嵌入するようになっている。
【００１７】
コネクタ接続装置２０は、図２の例のようにコネクタ接続装置取付けブラケット２６に取付けた接続用シリンダー１７および支持フレーム１９からなる。そして、機外側コネクタ１２と、機外側コネクタ１２を固設する機外側コネクタ取付け板１８と、該取付け板１８に連結したガイド装置１４と、ガイド装置１４の下部ロッドの先端が嵌設された機外側コネクタフレーム１５からなるＡ部が、接続用シリンダー１７により支持フレーム１９に沿って移動する。
このコネクタ接続装置２０は、振動装置固定テーブル３７のほか、モールドから外れた上下振動しない機外側であればどこでも設置できる。
【００１８】
また支持フレーム１９には機外側コネクタ支持装置１６が装着され、該支持装置１６は、図５に示すように、支持ケース３５内に収納されたガイドコロ用ロッド３３およびバネ３４と該ロッド３３の先端に支持されているガイドコロ３２からなり、バネ３４によりガイドコロ用ロッド３３が伸縮してガイドコロ３２が機外側コネクタフレーム１５に押し付けられている。ガイドコロ３２はガイドコロ用ロッド３３に回転自在に係止され、また調整ナット３６により位置調整可能である。
【００１９】
ガイド装置１４は、図４のようにガイドロッド３１とガイドロッド収納ケース２９と機外側コネクタフレーム１５で構成される。ガイドロッド３１はガイドロッド収納ケース２９内を上下に摺動可能に収納され、ガイドロッド３１の上部ロッド３１ａがガイドロッド収納ケース２９の上方に突出し、下部ロッド３１ｂがガイドロッド収納ケース２９の下方に突出している。またガイドロッド収納ケース２９内の上部ロッド３１ａにはバネ３０が装着され、下部ロッド３１ｂの先端は機外側コネクタフレーム１５に嵌設されている。このガイド装置１４は機外側コネクタ１２を挟んで２組設置している。
【００２０】
図７はコネクタの接触面を示す図で、接点３８を配置したコネクタの中央には、コネクタ表面をパージするパージ用ノズル３９を配設している。このパージ用ノズル３９で機外側コネクタ１２およびモールド側コネクタ１１の表面に付着している異物を除去して、コネクタ接続時の異物の噛み込みを防止している。
【００２１】
まず接続シリンダー１７を上昇させて機外側コネクタ１２をモールド側コネクタ１１に接続する。このときガイド装置１４の上部ロッド３１ａがモールド側コネクタ１１のガイド孔用ブラケット２８に設けているガイド孔１３に貫通し機外側コネクタ１２の上昇をガイドする。支持装置１６のガイドコロ３２がバネ３３によって伸縮自在に支持されているため、両コネクタ間で位置ずれが発生しても、ガイドロッド３１と支持装置１６により微調整されながら上昇するためである。
【００２２】
ガイドロッド３１の上部ロッド３１ａがモールド側コネクタ１１側のガイド孔１３を貫通した後、さらに接続シリンダー１７を上昇させて、モールド側コネクタ１１と機外側コネクタ１２の接続を確実に行う。このとき、図４および図６のようにガイドロッドケース２９と機外側コネクタは機外側コネクタフレーム１５とガイドロッド３１とバネ３０を介して支持されている。接続シリンダー１７をさらに上昇させることで、ガイドロッド収納ケース２９に内蔵したバネ３０を押し縮めてモールド側コネクタ１１と機外側コネクタ１２をさらに押圧した状態で上部ロッド３１ａの先端にコッター２７を取付けてガイドロッド３１を固定し、接続を確実なものとしている。
【００２３】
本発明装置により接続された両コネクタ１１，１２の接続部は、モールドを上下振動させたとき振動の影響で接触不良などを起こすおそれがない。すなわち該接続部はモールドと一体となって上下振動するが、ガイドロッド３１の上部ロッド３１ａを図４のようにガイド孔１３に嵌入して固定した後、接続用シリンダー１７を下降させることで、機外側コネクタ１２は振動装置取付けテーブル３７等の固定位置と切り離されるからである。またガイド装置に内蔵しているバネ３０により振動が吸収され、モールド側コネクタと機外側コネクタの接続圧が保持される。
【００２４】
【発明の効果】
以上説明したように、従来の手動での電源接続を一括して自動接続できるようにしたので、接続時間が短縮され、漏電等の危険性も発生しない。
また、支持装置を採用することで、コネクタの接続を確実に行うことができ、モールド上下振動によるコネクタ接続部の接触不良などのおそれがない。またパージノズルの配置によりコネクタ表面の異物も除去でき、接続圧保持装置によって、振動状態においても接触圧力を一定に保持し、安定して電源の供給が可能となる。
【図面の簡単な説明】
【図１】本発明装置の例を示す平面図である。
【図２】本発明装置の例を示す正面図である。
【図３】本発明装置の例を示す側面図である。
【図４】本発明装置におけるガイド装置の例を示す説明図である。
【図５】本発明装置における支持装置の例を示す説明図である。
【図６】本発明装置における接続部の例を示す説明図である。
【図７】本発明装置におけるコネクタの例を示す平面図である。
【符号の説明】
１…モールド固定フレーム        ２…電磁コイル
３…長辺冷却箱                  ４…短辺冷却箱
５…溶鋼                        ６…クランプ装置
７…ケーブル                    ８…幅可変装置
９…長辺側銅板                １０…短辺側銅板
１１…モールド側コネクタ        １２…機外側コネクタ
１３…ガイド孔                  １４…ガイド装置
１５…機外側コネクタフレーム    １６…機外側コネクタ支持装置
１７…接続用シリンダー          １８…機外側コネクタ取付け板
１９…支持フレーム              ２０…コネクタ接続装置
２１…中間テーブル              ２２…振動テーブル
２３…振動装置                  ２４…振動シリンダー
２５…モールド側コネクタ取付けブラケット
２６…コネクタ接続装置取付けブラケット
２７…コッター                  ２８…ガイド孔用ブラケット
２９…ガイドロッド収納ケース    ３０…バネ
３１…ガイドロッド
３１ａ…上部ロッド              ３１ｂ…下部ロッド
３２…ガイドコロ                ３３…ガイドコロ用ロッド
３４…バネ                      ３５…支持ケース
３６…調整ナット                ３７…振動装置固定テーブル
３８…電源供給用接点            ３８ａ…制御用接点
３９…パージノズル              ４０…接続圧保持装置
【図１】
0004283457.tif 000002
【図２】
0004283457.tif 000003
【図３】
0004283457.tif 000004
【図４】
0004283457.tif 000005
【図５】
0004283457.tif 000006
【図６】
0004283457.tif 000007
【図７】
0004283457.tif 000008